(57)【要約】【課題】  無断撮影を禁止するとともに、撮影会のビジネスを広く展開できるようにする。【解決手段】  撮影会マネージャーサーバー３は、インターネット２を介して接続された任意の端末１から撮影会への参加申し込みがあったときは、ＩＤおよびパスワードを撮影者データベース５に登録し、その参加申し込みの撮影会が登録されている場合には、その撮影会の予告をその端末１に送信し、撮影会が登録されていない場合には、新たな撮影会をＩＤおよびパスワードとともにに登録する。ショップマネージャーサーバー４は、インターネット２を介して接続された任意の端末１から撮影データに対して購入申し込みがあったときはその撮影データを販売する。【選択図】  図１
2006067264.tif 000002
【特許請求の範囲】
【請求項１】
ネットワークを介して接続された任意の通信端末から撮影会への参加申し込みがあったときは、当該申し込みに対して一意に設定した識別情報を撮影者データベースに登録し、当該参加申し込みの条件に適合した撮影会が撮影会データベースに登録されている場合には、当該撮影会の予告を当該通信端末に送信し、前記条件に適合した撮影会が前記撮影会データベースに登録されていない場合には、当該条件に適合した新たな撮影会を前記識別情報とともに前記撮影会データベースに登録する第１のサーバーと、
前記ネットワークを介して接続された任意の通信端末から撮影会で撮影された撮影データに対して購入申し込みがあったときは、前記ネットワークを介して当該撮影データを販売する第２のサーバーと、
を備えた撮影支援システム。
【請求項２】
前記第１のサーバーは、前記ネットワークを介して接続された任意の通信端末から被写体の登録申し込みがあったときは、当該被写体のデータを被写体データベースに登録し、撮影会の予告に被写体のデータを含めることを特徴とする請求項１に記載の撮影支援システム。
【請求項３】
前記第１のサーバーは、前記通信端末から特定の被写体を条件とする撮影会への参加申し込みがあったときは、当該条件に適合した撮影会が前記撮影会データベースに登録されている場合には、当該撮影会の予告を当該通信端末に送信し、前記特定の被写体の撮影会が前記撮影会データベースに登録されていない場合には、類似した被写体の撮影会の予告を当該通信端末に送信することを特徴とする請求項１に記載の撮影支援システム。
【請求項４】
前記第１のサーバーは、撮影会が行われる撮影現場に入場した撮影装置に対して当該撮影会への参加申し込みに対して一意に設定した識別情報の送信を要求し、当該撮影装置から受信した識別情報が当該撮影会の参加申し込みに対して登録されている識別情報と一致した場合には、当該撮影装置に対して撮影許可の情報を送信し、当該撮影装置から受信した識別情報が当該撮影会への参加申し込みに対して登録されている識別情報と異なる場合、又は、当該撮影装置から識別情報を受信しない場合には、前記撮影許可の情報を送信しないことを特徴とする請求項１に記載の撮影支援システム。
【請求項５】
前記第２のサーバーは、前記ネットワークを介して接続された任意の通信端末から撮影会で撮影された撮影データに対する購入申し込みに応じて当該撮影データを送信する場合には、当該端末装置のユーザーと取引がある金融機関の口座番号から購入の対価を受け取るための決済を行うことを特徴とする請求項１に記載の撮影支援システム。
【請求項６】
ネットワークを介して撮影会への参加申し込みを受け付ける撮影支援システムによって指定された撮影現場において使用する撮影装置であって、
無線信号によって情報を送受信する通信手段と、
前記撮影現場において、前記通信手段が撮影許可の情報を受信した場合に被写体の撮影を可能にし、前記通信手段が前記撮影許可の情報を受信しない場合には被写体の撮影を禁止する制御手段と、
を備えたことを特徴とする撮影装置。
【請求項７】
前記ネットワークを介して取得した識別情報を記憶する記憶手段をさらに備え、前記通信手段は、前記撮影現場において前記記憶手段に記憶されている識別情報を送信した場合に、前記撮影許可の情報を受信することを特徴とする請求項６に記載の撮影装置。
【請求項８】
ネットワークを介して接続された任意の通信端末から撮影会への参加申し込みがあったときは、当該申し込みに対して一意に設定した識別情報を撮影者データベースに登録し、当該参加申し込みの条件に適合した撮影会が撮影会データベースに登録されている場合には、当該撮影会の予告を当該通信端末に送信し、前記条件に適合した撮影会が前記撮影会データベースに登録されていない場合には、当該条件に適合した新たな撮影会を前記識別情報とともに前記撮影会データベースに登録する第１のステップと、
前記ネットワークを介して接続された任意の通信端末から撮影会で撮影された撮影データに対して購入申し込みがあったときは、前記ネットワークを介して当該撮影データを販売する第２のステップと、
を実行する撮影支援処理のプログラム。
【請求項９】
前記第１のステップは、前記ネットワークを介して接続された任意の通信端末から被写体の登録申し込みがあったときは、当該被写体のデータを被写体データベースに登録し、撮影会の予告に被写体のデータを含めることを特徴とする請求項８に記載の撮影支援処理のプログラム。
【請求項１０】
前記第１のステップは、前記通信端末から特定の被写体を条件とする撮影会への参加申し込みがあったときは、当該条件に適合した撮影会が前記撮影会データベースに登録されている場合には、当該撮影会の予告を当該通信端末に送信し、前記特定の被写体の撮影会が前記撮影会データベースに登録されていない場合には、類似した被写体の撮影会の予告を当該通信端末に送信することを特徴とする請求項８に記載の撮影支援処理のプログラム。
【請求項１１】
前記第１のステップは、撮影会が行われる撮影現場に入場した撮影装置に対して当該撮影会への参加申し込みに対して一意に設定した識別情報の送信を要求し、当該撮影装置から受信した識別情報が当該撮影会の参加申し込みに対して登録されている識別情報と一致した場合には、当該撮影装置に対して撮影許可の情報を送信し、当該撮影装置から受信した識別情報が当該撮影会への参加申し込みに対して登録されている識別情報と異なる場合、又は、当該撮影装置から識別情報を受信しない場合には、前記撮影許可の情報を送信しないことを特徴とする請求項８に記載の撮影支援処理のプログラム。
【請求項１２】
前記第２のステップは、前記ネットワークを介して接続された任意の通信端末から撮影会で撮影された撮影データに対する購入申し込みに応じて当該撮影データを送信する場合には、当該端末装置のユーザーと取引がある金融機関の口座番号から購入の対価を受け取るための決済を行うことを特徴とする請求項８に記載の撮影支援処理のプログラム。
【請求項１３】
ネットワークを介して撮影会への参加申し込みを受け付ける撮影支援システムによって指定された撮影スタジオにおいて使用する撮影装置の制御プログラムであって、
無線信号によって情報を送受信する第１のステップと、
前記撮影現場において、前記第１のステップが撮影許可の情報を受信した場合に被写体の撮影を可能にし、前記第１のステップが前記撮影許可の情報を受信しない場合には被写体の撮影を禁止する第２のステップと、
を実行することを特徴とする撮影装置の制御プログラム。
【請求項１４】
前記第１のステップは、前記ネットワークを介して取得した識別情報を記憶している記憶手段から当該識別情報を送信した場合に、前記撮影許可の情報を受信することを特徴とする請求項１３に記載の撮影装置の制御プログラム。
【発明の詳細な説明】
【技術分野】
【０００１】
本発明は、撮影支援システムおよび撮影支援処理のプログラムに関し、特に、ネットワークを介して接続された任意の通信端末から撮影会への参加申し込みに対して撮影を支援する撮影支援システムおよび撮影支援処理のプログラムに関するものである。
【背景技術】
【０００２】
近年の通信インフラの著しい向上によって、インターネットなどのネットワークを介して大量のデータを高速で伝送することが可能になってきている。そこで、さらなる将来の高速化を期待して、画像データを伝送するための多くの提案がなされている。
ある提案の携帯電話装置およびその方法においては、シャッタ、撮像入力部、およびカメラ制御部を有するカメラ機能により被写体を撮影し、この撮像を撮像入力部で画像データに変換し、この変換された画像データを中央制御部の送信制御により通話先へ送信する。また、中央制御部が、キー操作部で操作された通話先電話番号を、画像データに対応付けて画像ダイヤルを形成し、この形成された画像ダイヤルを画像ダイヤルメモリ部に記憶し、この記憶画像ダイヤルを表示部に表示し、この表示の中から、キー操作部での選択操作に応じて選択された画像ダイヤルで発呼を行うようになっている。（特許文献１参照）
また、他の提案の画像受信装置、画像送信装置および画像伝送システムにおいては、カメラ撮影画像を圧縮・符号化して送信する複数の画像送信装置からのデータをネットワークを介して並行受信可能な画像音声受信部と、複数の画像送信装置からの複数の画像のデータをそれぞれ伸長・復号化する画像音声復号化部と、画像音声復号化部により復号化された画像の一部又は全部を画像送信装置ごとの画像に分けて選択的に画面表示できるモニタと、画像音声受信部および画像音声復号化部を制御し、複数の画像送信装置からのデータを送信元ごとに受信させ、送信元ごとに分けて伸長・復号化させる制御部とを備えた構成になっている。（特許文献２参照）
また、他の提案の取引システムおよび取引方法、並びにそのプログラムにおいては、カメラ、マイク、スピーカ等を備えた複数のセラーＰＣおよび複数のバイヤーがインターネットを介してサーバーに接続し、会員登録して会員ＩＤの発行と登録を行ない、申し込み順に、セラーは販売商品数、価格を提示し、自分のカメラ映像やサーバーに格納した画像情報を利用して、全セラーＰＣにプレゼンテーション映像を送信する。予定時間が終了した後、再度、同一商品ジャンルのセラーの申し込みを受付ける。バイヤーは、オークションの実行期間中の随時のタイミングで商品の申し込みを行い、購入指示を出した時点で購入と決済を行うため、その後の値が変更になっても、影響を受けない構成になっている。（特許文献３参照）
【特許文献１】特開２０００−２４４６７３号公報
【特許文献２】特開２００２−２４７５６６号公報
【特許文献３】特開２００４−５４３３３号公報
【発明の開示】
【発明が解決しようとする課題】
【０００３】
しかしながら、上記特許文献１ないし特許文献３の提案を含め、従来の技術では、人手を要することなく、ネットワークを介してカメラの撮影会を開催することは実現していなかった。従来においては、不特定の複数の撮影者が撮影会に参加してモデルなどを撮影する場合には、撮影会のスケジュールを管理する管理者、撮影者の予約やモデルの登録を行う受付担当者、ライティングを設定する照明担当者、撮影料を徴収する経理担当者などの多くのスタッフを撮影スタジオに配置している。
このため、人件費によって撮影料が高くなっていた。また、予約なしに入場した撮影者が勝手に撮影し、撮影料を支払わずに退場という無断撮影も行われていた。さらに、人気のあるモデルの撮影の際には、参加者で撮影スタジオが一杯になり、撮影ができない事態が発生する場合や、これと反対に、モデルを呼んで撮影会を開催したものの、そのモデルが不評な場合には、参加者と開催側との間でトラブルが発生することがあった。
このように、従来においては、少数のカメラマニアが参加して高い撮影料を支払って撮影することが多く、撮影会のビジネスを広く展開することが困難であった。
【０００４】
本発明は、このような従来の課題を解決するためのものであり、ネットワークを介して不特定多数の撮影者から撮影の申し込みを受付けて登録して、参加する撮影者の人数および身元を確実に把握することにより、無断撮影を禁止するとともに、撮影スタジオにはモデルのほかにはライティングの担当者だけを配置して、安価な撮影料で撮影会を開催することにより、撮影会のビジネスを広く展開できるようにすることを目的とする。
【課題を解決するための手段】
【０００５】
請求項１に記載の撮影支援システムは、ネットワーク（実施形態においては、図１のインターネット２に相当する）を介して接続された任意の通信端末（実施形態においては、図１の端末１に相当する）から撮影会への参加申し込みがあったときは、その申し込みに対して一意に設定した識別情報（実施形態においては、ＩＤおよびパスワードに相当する）を撮影者データベース（実施形態においては、図１の撮影者データベース５に相当する）に登録し、その参加申し込みの条件に適合した撮影会が撮影会データベース（実施形態においては、図１の撮影会データベース７に相当する）に登録されている場合には、その撮影会の予告をその通信端末に送信し、条件に適合した撮影会が撮影会データベースに登録されていない場合には、その条件に適合した新たな撮影会を識別情報とともに撮影会データベースに登録する第１のサーバー（実施形態においては、図１の撮影会マネージャーサーバー３に相当する）と、ネットワークを介して接続された任意の通信端末から撮影会で撮影された撮影データに対して購入申し込みがあったときは、ネットワークを介してその撮影データを販売する第２のサーバー（実施形態においては、図１のショップマネージャーサーバー４に相当する）と、を備えた構成になっている。
【０００６】
請求項１の撮影支援システムにおいて、請求項２に記載したように、第１のサーバーは、ネットワークを介して接続された任意の通信端末から被写体の登録申し込みがあったときは、その被写体のデータを被写体データベース（実施形態においては、図１の被写体データベース６に相当する）に登録し、撮影会の予告に被写体のデータを含めるような構成にしてもよい。
【０００７】
請求項１の撮影支援システムにおいて、請求項３に記載したように、第１のサーバーは、通信端末から特定の被写体を条件とする撮影会への参加申し込みがあったときは、その条件に適合した撮影会が撮影会データベースに登録されている場合には、その撮影会の予告をその通信端末に送信し、特定の被写体の撮影会が撮影会データベースに登録されていない場合には、類似した被写体の撮影会の予告をその通信端末に送信するような構成にしてもよい。
【０００８】
請求項１の撮影支援システムにおいて、請求項４に記載したように、第１のサーバーは、撮影会が行われる撮影現場に入場した撮影装置に対して、その撮影会への参加申し込みに対して一意に設定した識別情報の送信を要求し、その撮影装置から受信した識別情報が、その撮影会の参加申し込みに対して登録されている識別情報と一致した場合には、その撮影装置に対して撮影許可の情報を送信し、その撮影装置から受信した識別情報が、その撮影会への参加申し込みに対して登録されている識別情報と異なる場合、又は、その撮影装置から識別情報を受信しない場合には、撮影許可の情報を送信しないような構成にしてもよい。
【０００９】
請求項１の撮影支援システムにおいて、請求項５に記載したように、第２のサーバーは、ネットワークを介して接続された任意の通信端末から撮影会で撮影された撮影データに対する購入申し込みに応じて、その撮影データを送信する場合には、その端末装置のユーザーと取引がある金融機関の口座番号から購入の対価を受け取るための決済を行うような構成にしてもよい。
【００１０】
請求項６に記載の撮影装置（実施形態においては、図１のカメラ端末１０に相当する）は、ネットワーク（実施形態においては、図１のインターネット２に相当する）を介して撮影会への参加申し込みを受け付ける撮影支援システム（実施形態においては、図１の複数の端末１および撮影会マネージャーサーバー３、ショップマネージャーサーバー４などを含むシステムに相当する）によって指定された撮影現場（実施形態においては、図１の撮影スタジオ９に相当する）において使用する撮影装置であって、
無線信号によって情報を送受信する通信手段（実施形態においては、図２の送受信部１５に相当する）と、撮影現場において、通信手段が撮影許可の情報（実施形態においては、図１の無線通信局９１からの解除信号に相当する）を受信した場合に被写体の撮影を可能にし、通信手段が撮影許可の情報を受信しない場合には被写体の撮影を禁止する制御手段（実施形態においては、図２の制御部１１に相当する）と、を備えた構成になっている。
【００１１】
請求項６の撮影装置において、請求項７に記載したように、ネットワークを介して取得した識別情報（実施形態においては、ＩＤおよびパスワードに相当する）を記憶する記憶手段（実施形態においては、図２のワークＲＡＭ１３に相当する）をさらに備え、通信手段は、撮影現場において記憶手段に記憶されている識別情報を送信した場合に、撮影許可の情報を受信するような構成にしてもよい。
【００１２】
請求項８に記載の撮影支援処理のプログラムは、ネットワーク（実施形態においては、図１のインターネット２に相当する）を介して接続された任意の通信端末（実施形態においては、図１の端末１に相当する）から撮影会への参加申し込みがあったときは、その申し込みに対して一意に設定した識別情報（実施形態においては、ＩＤおよびパスワードに相当する）を撮影者データベース（実施形態においては、図１の撮影者データベース５に相当する）に登録し、その参加申し込みの条件に適合した撮影会が撮影会データベース（実施形態においては、図１の撮影会データベース７に相当する）に登録されている場合には、その撮影会の予告をその通信端末に送信し、条件に適合した撮影会が撮影会データベースに登録されていない場合には、その条件に適合した新たな撮影会を識別情報とともに撮影会データベースに登録する第１のステップ（実施形態においては、図１の撮影会マネージャーサーバー３の処理に相当する）と、ネットワークを介して接続された任意の通信端末から撮影会で撮影された撮影データに対して購入申し込みがあったときは、ネットワークを介して、その撮影データを販売する第２のステップ（実施形態においては、図１のショップマネージャーサーバー４の処理に相当する）と、を実行する。
【００１３】
請求項８の撮影支援処理のプログラムにおいて、請求項９に記載したように、第１のステップは、ネットワークを介して接続された任意の通信端末から被写体の登録申し込みがあったときは、その被写体のデータを被写体データベース（実施形態においては、図１の被写体データベース６に相当する）に登録し、撮影会の予告に被写体のデータを含めるような構成にしてもよい。
【００１４】
請求項８の撮影支援処理のプログラムにおいて、請求項１０に記載したように、第１のステップは、通信端末から特定の被写体を条件とする撮影会への参加申し込みがあったときは、その条件に適合した撮影会が撮影会データベースに登録されている場合には、その撮影会の予告をその通信端末に送信し、特定の被写体の撮影会が撮影会データベースに登録されていない場合には、類似した被写体の撮影会の予告をその通信端末に送信するような構成にしてもよい。
【００１５】
請求項８の撮影支援処理のプログラムにおいて、請求項１１に記載したように、第１のステップは、撮影会が行われる撮影現場（実施形態においては、図１の撮影スタジオ９に相当する）に入場した撮影装置（実施形態においては、図１のカメラ端末１０に相当する）に対して、その撮影会への参加申し込みに対して一意に設定した識別情報の送信を要求し、その撮影装置から受信した識別情報が、その撮影会の参加申し込みに対して登録されている識別情報と一致した場合には、その撮影装置に対して撮影許可の情報を送信し、その撮影装置から受信した識別情報が、その撮影会への参加申し込みに対して登録されている識別情報と異なる場合、又は、その撮影装置から識別情報を受信しない場合には、撮影許可の情報を送信しないような構成にしてもよい。
【００１６】
請求項８の撮影支援処理のプログラムにおいて、請求項１２に記載したように、第２のステップは、ネットワークを介して接続された任意の通信端末から撮影会で撮影された撮影データに対する購入申し込みに応じて、その撮影データを送信する場合には、その端末装置のユーザーと取引がある金融機関の口座番号から購入の対価を受け取るための決済を行うような構成にしてもよい。
【００１７】
請求項１３に記載の撮影装置の制御プログラムは、ネットワーク（実施形態においては、図１のインターネット２に相当する）を介して撮影会への参加申し込みを受け付ける撮影支援システム（実施形態においては、図１の複数の端末１および撮影会マネージャーサーバー３、ショップマネージャーサーバー４などを含むシステムに相当する）によって指定された撮影現場（実施形態においては、図１の撮影スタジオ９に相当する）において使用する撮影装置の制御プログラムであって、
無線信号によって情報を送受信する第１のステップと、撮影現場において、第１のステップが撮影許可の情報を受信した場合に被写体の撮影を可能にし、第１のステップが撮影許可の情報を受信しない場合には被写体の撮影を禁止する第２のステップと、を実行する。
第１のステップおよび第２のステップは、実施形態においては、図２の制御部１１の処理に相当する。
【００１８】
請求項１３の撮影装置の制御プログラムにおいて、請求項１４に記載したように、第１のステップは、ネットワークを介して取得した識別情報（実施形態においては、ＩＤおよびパスワードに相当する）を記憶している記憶手段（実施形態においては、図２のワークＲＡＭ１３に相当する）から、その識別情報を送信した場合に、撮影許可の情報を受信するような構成にしてもよい。
【発明の効果】
【００１９】
本発明の撮影支援システムおよび撮影支援処理のプログラムによれば、ネットワークを介して不特定多数の撮影者から撮影の申し込みを受付けて登録して、参加する撮影者の人数および身元を確実に把握することにより、無断撮影を禁止するとともに、撮影スタジオにはモデルのほかにはライティングの担当者だけを配置して人件費のコストを低減して、安価な撮影料で撮影会を開催することにより、撮影会のビジネスを広く展開できるという効果が得られる。
【発明を実施するための最良の形態】
【００２０】
以下、本発明による撮影支援システムの実施形態について、図を参照して説明する。
図１は、実施形態における撮影支援システムの構成を示す図である。複数の端末１はパソコンなどの情報処理装置であり、インターネット２を介して撮影会マネージャーサーバー３およびショップマネージャーサーバー４に接続されている。図には示していないが、各端末１は、ＣＰＵ、プログラムＲＯＭ、ワークＲＡＭ、表示部、操作部、通信部などで構成されている。撮影会マネージャーサーバー３およびショップマネージャーサーバー４はシステムバスのよって相互に接続されているとともに、それぞれが撮影者データベース（ＤＢ）５、被写体データベース６、撮影会データベース７、および、撮影データのデータベース８に接続されている。さらに、撮影スタジオ９内には、無線通信局９１、入場検出装置９２、退場検出装置９３が設置され、インターネット２を介して撮影会マネージャーサーバー３およびショップマネージャーサーバー４に接続されている。
【００２１】
カメラ端末１０は、端末１のユーザーである撮影者が所有するディジタルカメラであり、端末１と有線又は無線によって接続して、必要なデータを端末１から受信して、撮影スタジオ９における撮影会で被写体を撮影することができる。図２は、このカメラ端末１０の内部構成を示すブロック図である。制御部１１はＣＰＵなどで構成され、図に示すように、システムバスを介して、プログラムＲＯＭ１２、ワークＲＡＭ１３、表示部１４、送受信部１５、撮像部（ＣＣＤ）１６、カメラ操作部１７、画像処理部１８、通信操作部１９、メモリカード２０に接続され、これら各部との間で、コマンドやデータを授受しながら、このカメラ端末１０を制御する。
【００２２】
プログラムＲＯＭ１２は、制御部１１によって実行される制御プログラムや初期データを記憶している。ワークＲＡＭ１３は、制御部１１のコマンドや撮影データおよびその他のデータを一時的に記憶する。表示部１４は、撮影データやカメラ端末１０の状態などを表示する。送受信部１５は、撮影スタジオ９において、無線通信局９１およびインターネット２を介して、撮影会マネージャーサーバー３との間で通信を行う。撮像部（以下、ＣＣＤという）１６は、被写体の光画像を電気信号の撮影データに変換して出力する。カメラ操作部１７は、シャッタースイッチ、ズームスイッチ、モードスイッチなどで構成され、操作に応じて撮影処理、画角調整、撮影データのストア処理やクリア処理のコマンドを入力する。画像処理部１８は、撮像データに対して圧縮処理や伸長処理などを行う。通信操作部１９は、操作に応じて送信処理や受信処理を行う。
【００２３】
メモリカード２０は、着脱可能な不揮発性メモリで構成され、図１の端末１を介して撮影会マネージャーサーバー３からダウンロードしたアプリケーションプログラムを記憶するエリア、撮影会マネージャーサーバー３との契約に関係なくユーザーが自由に撮影して、撮像部１６から出力される撮影データをカメラ操作部１７によるストア操作に応じて記憶するエリアが設けられている。ただし、撮影会マネージャーサーバー３との契約によって撮影スタジオ９で撮影した撮影データについては、メモリカード２０に保存することは禁止されている。
【００２４】
次に、撮影者データベース５、被写体データベース６、撮影会データベース７に保管されるデータの内容について、図３を参照して説明する。
撮影者データベース５には、図３（Ａ）に示すように、登録された撮影者（１）〜（Ｎ）ごとに、ＩＤ、パスワード、名前、カメラの型番、希望の被写体種別（人間の場合は、性別、年令など、ペットの場合はその種類など）、撮影会の希望日時が登録されている。
被写体データベース６には、図３（Ｂ）に示すように、ＩＤ、連絡先、名前、本人、ペット、その他の被写体を特定するデータを示す種別、撮影会の希望日時、および、被写体の撮像が登録されている。
撮影会データベース７には、図３（Ｃ）に示すように、予定されている撮影会（１）〜（Ｎ）ごとに、ＩＤ、被写体ＩＤ、日時、撮影者ＩＤが登録されている。
【００２５】
次に、図１の端末１の動作について、図４ないし図１１のフローチャート、および、図１２ないし図２５の表示画面に基づいて説明する。
図４において、所定のイニシャライズ(ステップＳＡ１)の後、初期画面を表示する(ステップＳＡ２)。初期画面には、図１２に示すように、選択アイコンとして「撮影会サイト」１０１および「その他」１０２が表示される。
次に、「撮影会サイト」１０１が選択されたか否かを判別する(ステップＳＡ３)。「その他」１０２が選択されたときは、その他の処理を行う（ステップＳＡ４）が、「撮影会サイト」１０１が選択されたときは、撮影会マネージャーサーバー３に接続する(ステップＳＡ５)。そして、開始画面を要求し（ステップＳＡ６）、開始画面を受信して(ステップＳＡ７)、その開始画面を表示する(ステップＳＡ８)。開始画面には、図１３に示すように、選択アイコンとして「参加」１０３、「被写体登録」１０４、「閲覧希望」１０５が表示される。
【００２６】
そして、「参加」１０３が選択されたか否かを判別し(ステップＳＡ９)、「参加」１０３が選択されたときは、参加要求を送付し(ステップＳＡ１０)、参加同意画面を受信する(ステップＳＡ１１)。「参加」１０３が選択されない場合には、「被写体登録」１０４が選択されたか否かを判別し（ステップＳＡ１２）、「被写体登録」１０４が選択されない場合には、「閲覧希望」１０５が選択されたか否かを判別する（ステップＳＡ１３）。
【００２７】
ステップＳＡ１１において参加同意画面を受信したときは、図５のフローにおいて、その参加同意画面を表示する(ステップＳＡ１４)。参加同意画面には、図１４に示すように、同意書の内容１０６、選択アイコンとして「同意する」１０７および「同意しない」１０８が表示される。そして、「同意する」１０７又は「同意しない」１０８のいずれが選択された否かを判別し（ステップＳＡ１５）、「同意しない」１０８が選択されたときは、撮影会マネージャーサーバー３との接続を停止して（ステップＳＡ１６）、図４のステップＳＡ２に移行して、初期画面を表示する。
【００２８】
一方、図１４の画面で「同意する」１０７が選択されたときは、参加同意を送付し（ステップＳＡ１７）、登録画面を受信して（ステップＳＡ１８）、その登録画面を表示する(ステップＳＡ１９)。登録画面には、図１５に示すように、撮影者の名前、カメラの型番、希望の被写体、希望の日時のデータを入力する各エリアと、選択アイコンとして「登録する」１０９および「登録しない」１２０が表示される。この登録画面において、データが入力されたか否かを判別し（ステップＳＡ２０）、データが入力されたときは、そのデータを各エリアに表示するとともに、ワークＲＡＭに一時的にストアする（ステップＳＡ２１）。そして、「登録する」１０９が選択されたか否かを判別し（ステップＳＡ２２）、このアイコンが選択されない場合には、「登録しない」１１０が選択されたか否かを判別する（ステップＳＡ２３）。このアイコンも選択されない場合には、ステップＳＡ２０においてデータが入力されたか否かを判別する。
【００２９】
ステップＳＡ２３において「登録しない」１１０が選択されたときは、図４のステップＳＡ８に移行して再び開始画面を表示するが、ステップＳＡ２２において「登録する」１０９が選択されたときは、ワークＲＡＭにストアした登録データを送付する（ステップＳＡ２４）。次に、図６のフローにおいて、撮影会予告画面を受信して（ステップＳＡ２５）、その予告画面を表示する（ステップＳＡ２６）。予告画面には、図１６に示すように、撮影会の日時、被写体のデータ、被写体の画像が表示されるとともに、選択アイコンとして「了解する」１１１および「了解しない」１１２が表示される。
【００３０】
次に、「了解する」１１１が選択されたか否かを判別し（ステップＳＡ２７）、このアイコンが選択されない場合には、「了解しない」１１２が選択されたか否かを判別する（ステップＳＡ２８）。このアイコンが選択されたときは、図５のステップＳＡ１９に移行して、再び参加登録画面を表示するが、「了解する」１１１が選択されたときは、了解信号を送付し（ステップＳＡ２９）、ＩＤおよびパスワードを取得する（ステップＳＡ３０）。さらに、確定画面を受信して（ステップＳＡ３１）、その確定画面を表示する（ステップＳＡ３２）。
【００３１】
確定画面には、図１７に示すように、図１６の予告画面と同じ撮影会の日時、被写体のデータ、被写体の画像が表示されるとともに、取得したＩＤおよびパスワードが表示される。また、「戻る」スイッチ１１３が表示される。なお、ＩＤおよびパスワードは、ワークＲＡＭにストアされるとともに、この端末１のユーザーが所有するカメラ端末１０のメモリカード２０にストアすることができる。この画面において、「戻る」スイッチ１１３がオンされたか否かを判別し（ステップＳＡ３３ａ）、このスイッチがオンされたときは、撮影会マネージャーサーバー３との接続を停止して（ステップＳＡ３３ｂ）、図４のステップＳＡ２に移行して、初期画面を表示する。
【００３２】
図４のステップＳＡ１２において、被写体登録が選択されたときは、図７のフローにおいて、被写体登録要求を送付し（ステップＳＡ３４）、被写体登録同意書を受信して（ステップＳＡ３５）、その被写体登録同意書を表示する（ステップＳＡ３６）。被写体登録同意書には、図１８に示すように、同意書の内容１１４が表示されるとともに、選択アイコンとして「同意する」１０７および「同意しない」１０８が表示される。この画面において、「同意する」１０７又は「同意しない」１０８のいずれかが選択されたか否かを判別し（ステップＳＡ３７）、「同意しない」１０８が選択されたときは、撮影会マネージャーサーバー３との接続を停止して（ステップＳＡ３８）、図４のステップＳＡ２に移行して、初期画面を表示する。
【００３３】
ステップＳＡ３７において、「同意する」１０７が選択されたときは、登録同意を送付し（ステップＳＡ３９）、登録画面を受信して（ステップＳＡ４０）、その登録画面を表示する（ステップＳＡ４１）。登録画面には、図１９に示すように、被写体登録の内容である名前、連絡先、被写体の種別、希望の撮影日時を入力する各エリアおよび貼付する被写体の画像のエリア１１５が表示されるとともに、選択アイコンとして「登録する」１０９および「登録しない」１１０が表示される。この画面において、データが入力されたか否かを判別し（ステップＳＡ４２）、データが入力されたときは、そのデータを対応するエリアに表示するとともに、ワークＲＡＭに一時的にストアする（ステップＳＡ４３）。
【００３４】
次に、「登録する」１０９が選択されたか否かを判別し（ステップＳＡ４４）、このアイコンが選択されない場合には、「登録しない」１１０が選択されたか否かを判別する（ステップＳＡ４５）。このアイコンも選択されない場合には、ステップＳＡ４２において、データが入力されたか否かを判別する。
「登録しない」１１０が選択されたときは、図４のステップＳＡ８に移行して、再び開始画面を表示するが、「登録する」１０９が選択されたときは、ワークＲＡＭにストアした登録データを送付する（ステップＳＡ４６）。次に、図８のフローにおいて、確認のための了解画面を受信して（ステップＳＡ４７）、その了解画面を表示する（ステップＳＡ４８）。了解画面には、図２０に示すように、登録した被写体の名前、連絡先、被写体の種別、希望する撮影の日時、および貼付した画像が表示されるとともに、選択アイコンとして「了解する」１１１および「了解しない」１１２が表示される。
【００３５】
この画面において、「了解する」１１１が選択されたか否かを判別し（ステップＳＡ４９）、このアイコンが選択されない場合には、「了解しない」１１２が選択されたか否かを判別する（ステップＳＡ５０）。「了解しない」１１２が選択されたときは、図７のステップＳＡ４１に移行して、再び登録画面を表示するが、「了解する」１１１が選択されたときは、了解信号を送付して（ステップＳＡ５１）、ＩＤを受信し（ステップＳＡ５２）、確定登録画面を受信して（ステップＳＡ５３）、その確定登録画面を表示する（ステップＳＡ５４）。
【００３６】
確定登録画面には、図２１に示すように、登録した被写体の名前、連絡先、被写体の種別、希望する撮影の日時、および貼付した被写体の画像が表示される。また、「戻る」ス１１３が表示される。この画面において、「戻る」スイッチ１１３がオンされたか否かを判別し（ステップＳＡ５５ａ）、このスイッチがオンされたときは、撮影会マネージャーサーバー３との接続を停止して（ステップＳＡ５５ｂ）、図４のステップＳＡ２に移行して、初期画面を表示する。
【００３７】
図４のステップＳＡ１３において、閲覧希望が選択されたときは、図９のフローにおいて、ショップマネージャーサーバー４に接続して（ステップＳＡ５６）、閲覧要求を送付し（ステップＳＡ５７）、閲覧選択画面を受信して（ステップＳＡ５８）、その閲覧選択画面を表示する（ステップＳＡ５９）。閲覧選択画面には、図２２に示すように、選択アイコンとして「ライブ閲覧」１１６が表示されるとともに、他の撮影データを検索する入力エリア１１７および選択アイコンとして「検索」１１８が表示される。
この画面において、検索データが入力されたか否かを判別し（ステップＳＡ６０）、入力されたときは、その検索データを入力エリア１１７に表示するとともに、ワークＲＡＭに一時的にストアする（ステップＳＡ６１）。検索データが入力されない場合には、「ライブ閲覧」１１６が選択されたか否かを判別する（ステップＳＡ６２）。このアイコンが選択されたときは、ライブ閲覧要求を送付し（ステップＳＡ６３）、ライブ閲覧画面を受信して（ステップＳＡ６４）、そのライブ閲覧画面を表示する（ステップＳＡ６５）。
【００３８】
ライブ閲覧画面には、図２３に示すように、撮影会の名称、撮影者、カメラの型番が表示され、撮影データの画像１１９が表示される。また、「戻る」スイッチ１１３および「閲覧ストップ」スイッチ１２０が表示される。そして、「戻る」スイッチ１１３がオンされたか否かを判別し（ステップＳＡ６６ａ）、このスイッチがオンされたときは、他の撮影者の撮影データを見るためにステップＳＡ５７に移行して、再び閲覧要求を送付する。「戻る」スイッチ１１３がオンでない場合には、「閲覧ストップ」スイッチ１２０がオンされたか否かを判別する（ステップＳＡ６６ｂ）。このスイッチがオンされたときは、ショップマネージャーサーバー４との接続を停止し、図４のステップＳＡ５に移行して、撮影会マネージャーサーバー３に接続する。
【００３９】
図９のステップ６２において、ライブ閲覧が選択されない場合には、「検索」１１８が選択されたか否かを判別する（ステップＳＡ６７）。このアイコンが選択されたときは、図１０のフローにおいて、検索データとともに検索要求を送付する（ステップＳＡ６８）。そして、検索結果画面を受信して（ステップＳＡ６９）、その検索結果画面を表示する（ステップＳＡ７０）。検索結果画面には、図２４に示すように、検索結果の内容１２１が表示されるとともに、選択アイコンとして「再検索」１２２および「検索ストップ」スイッチ１２０が表示される。表示される検索結果としては、撮影日時が新しい順に各撮影会を表示するか、複数の撮影会をまとめて表示する。いずれの場合も、表示されている撮影会をダブルクリックすれば、撮影データの画像を見ることができる。
【００４０】
この画面において、「再検索」１２２が選択されたか否かを判別し（ステップＳＡ７１）、このアイコンが選択されたときは、図９のステップＳＡ５７に移行して、再び閲覧要求を送付する。「再検索」１２２が選択されない場合には、「検索ストップ」スイッチ１２０がオンされたか否かを判別し（ステップＳＡ７２）、このスイッチがオンされたときは、ショップマネージャーサーバー４との接続を停止し、図４のステップＳＡ５に移行して、撮影会マネージャーサーバー３に接続する。「再検索」１２２が選択されず、「検索ストップ」スイッチ１２０もオンでない場合には、検索結果の撮影会がダブルクリックされたか否かを判別する（ステップＳＡ７３）。
【００４１】
検索結果画面においてダブルクリックがされたときは、その撮影会の撮影データの要求を送付し（ステップＳＡ７４）、撮影データを受信して（ステップＳＡ７５）、その撮影データを表示する（ステップＳＡ７６）。この表示画面には、図２５に示すように、撮影データの画像１２３が表示され、選択アイコンとして「ダウンロード」１２４および「戻る」スイッチ１１３が表示される。この画面で「戻る」スイッチ１１３がオンされたか否かを判別し（ステップＳＡ７７）、このスイッチがオンされたときは、ステップＳＡ６８に移行して、再び検索結果要求を送付する。「戻る」スイッチがオンでない場合には、「ダウンロード」１２４が選択されたか否かを判別する（ステップＳＡ７８）。
【００４２】
ダウンロードが選択されたときは、図１１のフローにおいて、ダウンロード要求を送付し（ステップＳＡ７９）、ダウンロード画面を受信して（ステップＳＡ８０）、そのダウンロード画面を表示する（ステップＳＡ８１）。図には示さないが、このダウンロード画面には、ダウンロードする画像が表示されるとともに、選択アイコンとして「決済画面」および「前画面」が表示される。そして、「決済画面」のアイコンが選択されたか否かを判別し（ステップＳＡ８２）、このアイコンが選択されない場合には、「前画面」が選択されたか否かを判別する（ステップＳＡ８３）。このアイコンが選択されたときは、図９のステップＳＡ５７に移行して、再び閲覧要求を送付する。
【００４３】
図１１のステップＳＡ８２において、決済画面のアイコンが選択されたときは、決済画面要求を送付し（ステップＳＡ８４）、決済画面を受信して（ステップＳＡ８５）、その決済画面を表示する（ステップＳＡ８６）。図には示さないが、決済画面には、決済する金融機関と口座番号のデータを入力するエリアが表示され、選択アイコンとして「購入決定」および「前画面」が表示される。データの入力に応じて、そのデータを画面の対応するエリアに表示し、ワークＲＡＭにストアする決済処理を行う（ステップＳＡ８７）。そして、「購入決定」のアイコンが選択されたか否かを判別する（ステップＳＡ８８）。このアイコンが選択されない場合には、「前画面」のアイコンが選択されたか否かを判別する（ステップＳＡ８９）。このアイコンが選択されたときは、ステップＳＡ８１に移行して、再びダウンロード画面を表示する。
ステップＳＡ８８において、「購入決定」のアイコンが選択されたときは、決済データを送付し（ステップＳＡ９０）、ダウンロードデータを受信して（ステップＳＡ９１）、そのダウンロードデータをワークＲＡＭにストアする（ステップＳＡ９２）。そして、図９のステップＳＡ５７に移行して、再び閲覧要求を送付する。
【００４４】
次に、撮影会マネージャーサーバー３の動作について、図２６ないし図３８のフローチャートを参照して説明する。メインルーチン（図示せず）の実行中において、端末１や撮影スタジオ９からコマンドやデータを受信したときは、その受信内容に応じて以下の処理を行う。
端末１から開始画面要求を受信したときは、図２６のフローにおいて、開始画面を送付する（ステップＳＢ１）。端末１から参加要求を受信したときは、図２７のフローにおいて、参加同意画面を送付する（ステップＳＢ２）。端末１から参加同意を受信したときは、図２８のフローにおいて、登録画面を送付する（ステップＳＢ３）。
【００４５】
図１５の登録画面において登録が選択されて、端末１から撮影者登録データを受信したときは、図２９のフローにおいて、登録データを一時的にストアして（ステップＳＢ４）、撮影会データベース７を検索する（ステップＳＢ５）。そして、撮影者登録データにおける希望日時の撮影会があるか否かを判別する（ステップＳＢ６）。希望日時の撮影会がある場合には、その撮影会における被写体が撮影者登録データにおける希望被写体であるか否かを判別する（ステップＳＢ７）。希望被写体である場合には、その撮影会データに基づき予告画面を作成して（ステップＳＢ８）、撮影予告画面を送付する（ステップＳＢ９）。そして、メインルーチンに戻る。
【００４６】
ステップＳＡ６において、撮影者登録データにおける希望日時の撮影会がない場合には、被写体データベース６を検索して（ステップＳＢ１０）、撮影者登録データにおける希望被写体があるか否かを判別する（ステップＳＢ１１）。希望被写体がある場合には、その被写体で撮影会が予定されているか否かを判別する（ステップＳＢ１２）。その被写体で撮影会が予定されていなければ、メインルーチンに戻るが、その被写体で撮影会が予定されている場合には、撮影会データを作成して（ステップＳＢ１５）、その撮影会データに基づき予告画面を作成して（ステップＳＢ８）、撮影予告画面を送付する（ステップＳＢ９）。
ステップＳＢ１１において、希望被写体がない場合には、希望被写体と容姿などが類似する被写体の撮影会を検索して（ステップＳＢ１３）、その撮影会の日時が撮影者登録データにおける希望日時と一致するか否かを判別する（ステップＳＢ１４）。日時が一致しない場合には、メインルーチンに戻るが、日時が一致する場合には、撮影会データを作成して（ステップＳＢ１５）、その撮影会データに基づき予告画面を作成して（ステップＳＢ８）、撮影予告画面を送付する（ステップＳＢ９）。
【００４７】
図１６の了解画面において、了解が選択されて、端末１から了解信号を受信したときは、図３０のフローにおいて、撮影者用ＩＤおよびパスワードを作成して（ステップＳＢ１６）、撮影者データベース５に空きエリアを確保し（ステップＳＢ１７）、その空きエリアに撮影者用ＩＤおよびパスワード、名前、カメラの型番、被写体種別、希望日時を、図３（Ａ）に示した撮影者データとしてストアする（ステップＳＢ１８）。次に、端末１の撮影者が希望する撮影会データがすでに撮影会データベース７にあるか否かを判別し（ステップＳＢ１９）、希望する撮影会データがすでにある場合には、その撮影会データに撮影者用ＩＤを追加する（ステップＳＢ２０）。
【００４８】
撮影会データベース７に希望する撮影会データがない場合には、撮影会データベース７に空きエリアを確保して（ステップＳＢ２１）、端末１の撮影者が希望する撮影会データを撮影会データベース７にストアする（ステップＳＢ２２）。さらに、そのストアした撮影会データにおいて撮影者が希望する被写体の端末１に対して、撮影会を開催する旨の連絡メールを送付する（ステップＳＢ２３）。
ステップＳＢ２０において、撮影会データに撮影者用ＩＤを追加した場合、又は、ステップＳＢ２３において、被写体に連絡メールを送付した場合には、端末１に対してＩＤおよびパスワードを送付し（ステップＳＢ２４）、確定待機画面を作成して（ステップＳＢ２５）、その確定待機画面を送付する（ステップＳＢ２６）。そして、メインルーチンに戻る。
【００４９】
図１３に示した開始画面において、「被写体登録」のアイコンが選択されて、端末１から被写体登録要求を受信したときは、図３１のフローにおいて、被写体登録同意画面を送付する（ステップＳＢ２７）。図１８に示した被写体同意画面において、「同意する」アイコンが選択されて、端末１から被写体登録同意を受信したときは、図３２のフローにおいて、被写体登録画面を送付する（ステップＳＢ２８）。図１９に示した被写体登録画面において、「登録する」アイコンが選択されて、端末１から被写体登録データを受信したときは、図３３のフローにおいて、受信した登録データをワークＲＡＭに一時的にストアして（ステップＳＢ２９）、登録データに基づき了解画面を作成して（ステップＳＢ３０）、その了解画面を送付する（ステップＳＢ３１）。
【００５０】
図２０に示した了解画面において、「了解する」アイコンが選択されて、端末１から被写体了解を受信したときは、図３４のフローにおいて、被写体データベース６に空きエリアを確保して（ステップＳＢ３２）、被写体ＩＤを作成し（ステップＳＢ３３）、空きエリアにＩＤおよびパスワード、連絡先、名前、種別、希望日時、貼付された被写体映像を、図３（Ｂ）に示した被写体データとしてストアする（ステップＳＢ３４）。次に、確定画面を作成して（ステップＳＢ３５）、確定画面を送付し（ステップＳＢ４６）、被写体用ＩＤを送付する（ステップＳＢ４７）。
【００５１】
撮影会マネージャーサーバー３は、図１の撮影スタジオ９にカメラ端末１０が入場して、入場検出装置９２からカメラ端末の入場検出信号を受信したときは、図３５のフローにおいて、ＩＤ要求信号をそのカメラ端末１０に送付する（ステップＳＢ３８）。後述するように、ＩＤ要求信号を受信したカメラ端末１０は撮影禁止モードになるとともに、ＩＤ要求信号に応じてＩＤおよびパスワードを送付する。したがって、カメラ端末１０からＩＤおよびパスワードを受信したか否かを判別し（ステップＳＢ３９）、受信したときはメインルーチンに戻る。受信しない場合には、所定時間が経過したか否かを判別し（ステップＳＢ４０）、所定時間が経過したときは、撮影者データベース５に登録されていない人間が撮影スタジオ９に侵入したことになるので、所定の警備機関に警報を発信する（ステップＳＢ４１）。
図１の撮影スタジオ９からカメラ端末１０が退場して、退場検出装置９３からカメラ端末の退場検出信号を受信したときは、図３６のフローにおいて、撮影禁止モードを解除するための解除信号をそのカメラ端末１０に送付する（ステップＳＢ４２）。
【００５２】
カメラ端末１０からＩＤおよびパスワードを受信したときは、図３７のフローにおいて、現時刻を取得して（ステップＳＢ４３）、撮影会データベース７を検索し（ステップＳＢ４４）、現時刻に撮影会が開催中であるか否かを判別する（ステップＳＢ４５）。撮影会が開催中である場合には、その撮影会データ中にＩＤおよびパスワードを受信した撮影者のＩＤがあるか否かを判別する（ステップＳＢ４６）。その撮影者のＩＤがある場合には、撮影スタジオ９に入場したときに撮影禁止モード解除するための解除信号を送付する（ステップＳＢ４７）。そして、メインルーチンに戻る。
撮影会データベース７の撮影会データ中にその撮影者のＩＤがない場合、又は、ステップＳＢ４５において、撮影会が開催中でない場合には、解除信号を送付することなくメインルーチンに戻る。
【００５３】
カメラ端末１０から撮影データを受信したときは、図３８のフローにおいて、撮影データのデータベース８に空きエリアを確保して（ステップＳＢ４８）、撮影会ＩＤ、被写体ＩＤ、撮影者ＩＤとともに、撮影データをストアする（ステップＳＢ４９）。したがって、撮影データのデータベース８には、図３９に示すように、撮影データ（１）〜（Ｎ）ごとに、ＩＤ、撮影者ＩＤ、撮影会ＩＤ、被写体ＩＤ、および画像データが保管される。
【００５４】
次に、ショップマネージャーサーバー４の動作について、メインルーチン（図示せず）の実行中において、端末１およびカメラ端末１０から受信したコマンドやデータに応じて実行する図４０ないし図４７のフローチャートに基づいて説明する。
図１３に示した開始画面において、閲覧希望のアイコンが選択されて、端末１から閲覧要求を受信したときは、図４０のフローにおいて、図２２に示した閲覧選択画面を送付する（ステップＳＣ１）。この閲覧選択画面において、ライブ閲覧が選択されて、端末１からライブ閲覧要求を受信したときは、図４１のフローにおいて、現時刻を取得し（ステップＳＣ２）、撮影会データベース７を検索する（ステップＳＣ３）。そして、現時刻において撮影会が開催されているか否かを判別し（ステップＳＣ４）、開催されていない場合にはメインルーチンに戻るが、開催されている場合には、ライブ閲覧画面を送付する（ステップＳＣ５）。
また、撮影スタジオ９内のカメラ端末１０から撮影データを受信したときは、図４２のフローにおいて、ライブ閲覧画面に受信した撮影データを貼付し（ステップＳＣ６）、撮影者および撮影会を画面に表示して（ステップＳＣ７）、図２３に示したライブ閲覧画面を送付する（ステップＳＣ８）。
【００５５】
端末１から撮像データのダウンロード要求を受信したときは、図４３のフローにおいて、図２５に示したダウンロード画面を送付する（ステップＳＣ９）。また、端末１から撮影データの購入における決済要求を受信したときは、図４４のフローにおいて、決済画面を送付する（ステップＳＣ１０）。そして、端末１から決済データを受信したときは、図４５のフローにおいて、その決済データを決済機関に送付し（ステップＳＣ１１）、決済が終了したか否かを判別して（ステップＳＣ１２）、決済が終了したときは、対応する撮影データをデータベース８から検索して（ステップＳＣ１３）、その検索した撮影データをダウンロード要求の端末１に対して送付する（ステップＳＣ１４）。
【００５６】
図２２に示した閲覧選択画面において、検索が選択されて、端末１から検索データを受信したときは、検索データに基づいて撮影データをデータベース８から検索し（ステップＳＣ１５）、検索結果に基づき検索結果画面を作成して（ステップＳＣ１６）、その検索結果画面を送付する（ステップＳＣ１７）。図２４に示した検索結果画面において、撮影データが指定され、端末１から撮影データ要求を受信したときは、その指定された撮影データをデータベース８から検索して（ステップＳＣ１８）、検索した撮影データを送付する（ステップＳＣ１９）。
【００５７】
次に、カメラ端末１０の動作について、図２に示したカメラ端末１０のブロック図、図４８および図４９のメインルーチンのフローチャートに基づいて説明する。
まず、所定のイニシャライズ（ステップＳＤ１）を行う。次に、ＣＣＤ１６からの画像データを取り込み（ステップＳＤ２）、その画像データを表示部１４に表示する（ステップＳＤ３）。次に、カメラ操作部１７の設定スイッチがオンされたか否かを判別し（ステップＳＤ４）、このスイッチがオンされたときは、ＩＤおよびパスワードの入力画面を表示部１４に表示する（ステップＳＤ５）。そして、ＩＤおよびパスワードが入力されたか否かを判別し（ステップＳＤ６）、入力されたときは、そのＩＤおよびパスワードを表示する（ステップＳＤ７）。次に、カメラ操作部１７のＯＫスイッチがオンされたか否かを判別し（ステップＳＤ８）、このスイッチがオンされたときは、表示されているＩＤおよびパスワードをワークＲＡＭ１３にストアする（ステップＳＤ９）。そして、ステップＳＤ２に戻る。このＩＤおよびパスワードは、図６に示した端末１のフローのステップＳＡ３０において、撮影会マネージャーサーバー３から取得したＩＤおよびパスワードと一致しなければならない。
【００５８】
ステップＳＤ４において、設定スイッチがオンでない場合には、撮影スタジオ９の無線通信局９１を介して、撮影会マネージャーサーバー３からＩＤ要求信号を受信したか否かを判別する（ステップＳＤ１０）。この信号を受信したときは、禁止フラグを「１」にセットし（ステップＳＤ１１）、入場フラグを「１」にセットする（ステップＳＤ１２）。さらに、ＩＤおよびパスワードを撮影会マネージャーサーバー３に送付する（ステップＳＤ１３）。そして、撮影会マネージャーサーバー３から解除信号を受信したか否かを判別し（ステップＳＤ１４）、この信号を受信したときは、禁止フラグを「０」にリセットする（ステップＳＤ１５）。そして、ステップＳＤ２に戻る。
【００５９】
ステップＳＤ１０において、ＩＤ要求信号を受信しない場合には、図４９のフローにおいて、退場の際の解除信号を受信したか否かを判別し（ステップＳＤ１６）、この信号を受信したときは、ワークＲＡＭ１３にストアされている撮像データを全てクリアして（ステップＳＤ１７）、禁止フラグを「０」にリセットし（ステップＳＤ１８）。入場フラグを「０」にリセットする（ステップＳＤ１９）。そして、ステップＳＤ２に戻る。
ステップＳＤ１６において、解除信号を受信しない場合には、シャッタスイッチがオンされたか否かを判別し（ステップＳＤ２０）、このスイッチがオンされたときは、禁止フラグが「０」であるか否かを判別する（ステップＳＤ２１）。このフラグが「０」である場合には、ＣＣＤ１６からの画像データをワークＲＡＭ１３にストアする（ステップＳＤ２２）。さらに、入場フラグが「１」であるか否かを判別し（ステップＳＤ２３）、このフラグが「１」である場合には、ワークＲＡＭ１３にストアされた画像データをＩＤおよびパスワードとともに撮影会マネージャーサーバー３に送付する（ステップＳＤ２４）。この後、ワークＲＡＭ１３にストアされた画像データをクリアして（ステップＳＤ２５）、図４８のステップＳＤ２に戻る。ステップＳＤ２０においてシャッタスイッチがオンでない場合、ステップＳＤ２１において禁止フラグが「１」である場合、又は、ステップＳＤ２３において入場フラグが「０」である場合には、図４８のステップＳＤ２に戻る。
すなわち、撮影スタジオ９において撮影した画像データは、全て撮影会マネージャーサーバー３に送付され、カメラ端末１０に保存することは許されない。
【００６０】
先に述べたように、撮影会マネージャーサーバー３との契約によって撮影スタジオ９で撮影した撮影データについては、メモリカード２０に保存することは禁止されている。したがって、カメラ端末１０の動作について、その一部のフローチャートを図５０に示す構成にしてもよい。図５０のステップＳＤ２０において、シャッタスイッチがオンでない場合には、撮影してワークＲＡＭ１３にストアした撮影データをメモリカード２０に保存する保存スイッチがオンされたか否かを判別し（ステップＳＤ２６）、このスイッチがオンされたときは、入場フラグが「１」であるか否かを判別する（ステップＳＤ２７）。入場フラグが「１」である場合には、警告を発生し（ステップＳＤ２８）、無線通信局９１を介して、警告した旨およびＩＤおよびパスワードを撮影会マネージャーサーバー３に送付する（ステップＳＤ２９）。ステップＳＤ２７において、入場フラグが「０」である場合には、ワークＲＡＭ１３の画像データをメモリカード２０に転送する（ステップＳＤ３０）。
ステップＳＤ２６において保存スイッチがオンでない場合、ステップＳＤ２９においてＩＤおよびパスワードを送付した後、ステップＳＤ３０において画像データを保存した後は、図４８のステップＳＤ２に戻る。
【００６１】
以上のように、上記実施形態によれば、撮影会マネージャーサーバー３は、インターネット２を介して接続された任意の端末１から撮影会への参加申し込みがあったときは、その申し込みに対して一意に設定したＩＤおよびパスワードを撮影者データベース５に登録し、その参加申し込みの条件に適合した撮影会が撮影会データベース７に登録されている場合には、その撮影会の予告をその端末１に送信し、条件に適合した撮影会が撮影会データベース７に登録されていない場合には、その条件に適合した新たな撮影会をＩＤおよびパスワードとともに撮影会データベース７に登録する。ショップマネージャーサーバー４は、インターネット２を介して接続された任意の端末１から撮影会で撮影された撮影データに対して購入申し込みがあったときは、インターネット２を介してその撮影データを販売する。
したがって、インターネット２を介して不特定多数の撮影者から撮影の申し込みを受付けて登録して、参加する撮影者の人数および身元を確実に把握することにより、無断撮影を禁止するとともに、撮影スタジオ９にはモデルのほかにはライティングの担当者だけを配置して人件費のコストを低減して、安価な撮影料で撮影会を開催することにより、撮影会のビジネスを広く展開できる。
【００６２】
また、上記実施形態によれば、撮影会マネージャーサーバー３は、インターネット２を介して接続された任意の端末１から被写体の登録申し込みがあったときは、その被写体のデータを被写体データベース６に登録し、撮影会の予告に被写体のデータを含める。
したがって、撮影者は撮影会に参加申し込みをする前に、被写体の画像などを予告画面によって確認することができる。
【００６３】
また、上記実施形態によれば、撮影会マネージャーサーバー３は、端末１から特定の被写体を条件とする撮影会への参加申し込みがあったときは、その条件に適合した撮影会が撮影会データベース７に登録されている場合には、その撮影会の予告をその端末１に送信し、特定の被写体の撮影会が撮影会データベース７に登録されていない場合には、類似した被写体の撮影会の予告をその端末１に送信する。
したがって、撮影者は、希望する被写体の撮影会がない場合でも、希望する被写体に近い被写体の撮影会の予告によって、満足できる撮影ができる可能性が得られる。一方、撮影会の開催側では、ビジネスの幅を広げることができる。
【００６４】
また、上記実施形態によれば、撮影会マネージャーサーバー３は、撮影会が行われる撮影スタジオ９に入場したカメラ端末１０に対して、その撮影会への参加申し込みに対して一意に設定したＩＤおよびパスワードの送信を要求し、そのカメラ端末１０から受信したＩＤおよびパスワードが、その撮影会の参加申し込みに対して登録されているＩＤおよびパスワードと一致した場合には、そのカメラ端末１０に対して撮影許可の解除信号を送信し、そのカメラ端末１０から受信したＩＤおよびパスワードが、その撮影会への参加申し込みに対して登録されているＩＤおよびパスワードと異なる場合、又は、そのカメラ端末１０からＩＤおよびパスワードを受信しない場合には、撮影許可の解除信号を送信しない。
したがって、撮影スタジオ９における無断撮影を確実に防止できる。
【００６５】
また、上記実施形態によれば、ショップマネージャーサーバー４は、インターネット２を介して接続された任意の端末１から、撮影会で撮影された撮影データに対する購入申し込みに応じて、その撮影データを送信する場合には、その端末１のユーザーと取引がある金融機関の口座番号から、購入の対価を受け取るための決済を行う。
したがって、購入の申し込みに対して迅速な販売サービスを提供できるとともに、決済処理のコストダウンを図ることができる。さらに、販売する撮影データに対する対価が未払いになることがない。
【００６６】
また、上記実施形態によれば、カメラ端末１０は、インターネット２を介して撮影会への参加申し込みを受け付ける撮影会マネージャーサーバー３によって、指定された撮影スタジオ９において使用するものであり、無線信号によって情報を送受信する送受信部１５と、撮影スタジオ９において、送受信部１５が撮影許可の解除信号をを受信した場合に、被写体の撮影を可能にし、送受信部１５が撮影許可の解除信号を受信しない場合には、被写体の撮影を禁止する制御部１１とを備えた構成になっている。
この場合において、インターネット２を介して取得したＩＤおよびパスワードを記憶するワークＲＡＭ１３に記憶されているＩＤおよびパスワードを送信した場合に、撮影許可の解除信号を受信する。
したがって、撮影会の開催側は、特別な人員を配置することなく、無断撮影を防止することができる。一方、撮影者は、信頼のおける他の撮影者の中で、安心して撮影することができる。さらに、被写体となるモデルは、無断撮影によって発生する諸々のトラブルによって無用な被害などを被ることがない。
【００６７】
なお、上記実施形態においては、インターネット２を介して撮影会マネージャーサーバー３と接続した端末１から、アプリケーションプログラムをダウンロードする構成について説明したが、アプリケーションプログラムがプログラムＲＯＭ１２にあらかじめ格納されている専用のカメラ端末１０を使用する構成も可能である。この場合には、同一のカメラ端末を使用して同一の被写体を撮影することになるが、撮影データは、撮影のアングル、シャッタ速度、絞りなどを決定する撮影者の個性によって異なるので、各撮影データは芸術作品として通用する。
【００６８】
あるいは、実施形態の変形例として、撮影スタジオ９に入場した際に、アプリケーションプログラムを取得する構成にしてもよい。すなわち、カメラ端末１０が撮影スタジオ９に入場した際に、カメラ端末１０の送受信部１５から送信されるＩＤおよびパスワードを入場検出装置９２が検出し、ＩＤおよびパスワードを含む検出信号を無線通信局９１に送信する。無線通信局９１は、受信した検出信号に応じてアプリケーションプログラムをカメラ端末１０に送信する。カメラ端末１０は、受信したアプリケーションプログラムをワークＲＡＭ１３にストアする。さらに、カメラ端末１０が撮影スタジオ９から退場する際には、ワークＲＡＭ１３の画像データだけでなく、アプリケーションプログラムも消去する構成にしてもよい。すなわち、この構成においては、アプリケーションプログラムは、撮影スタジオ９の中だけで有効に動作する。
【００６９】
また、上記実施形態においては、端末１のプログラムＲＯＭにあらかじめ制御プログラムを記憶した構成について説明したが、フレキシブルディスク（ＦＤ）、ＣＤ、ＭＤなどの記憶媒体に記録されている撮影支援処理のプログラムをパソコンのハードディスクにインストールしたり、インターネットなどのネットワークからダウンロードした撮影支援処理のプログラムをインストールして、そのプログラムをパソコンのＣＰＵが実行することも可能である。この場合には、プログラムの発明やそのプログラムを記録した記録媒体の発明を実現できる。
【００７０】
すなわち、本発明による撮影支援処理のプログラムは、
ネットワークを介して接続された任意の通信端末から撮影会への参加申し込みがあったときは、当該申し込みに対して一意に設定した識別情報を撮影者データベースに登録し、当該参加申し込みの条件に適合した撮影会が撮影会データベースに登録されている場合には、当該撮影会の予告を当該通信端末に送信し、前記条件に適合した撮影会が前記撮影会データベースに登録されていない場合には、当該条件に適合した新たな撮影会を前記識別情報とともに前記撮影会データベースに登録する第１のステップと、前記ネットワークを介して接続された任意の通信端末から撮影会で撮影された撮影データに対して購入申し込みがあったときは、前記ネットワークを介して当該撮影データを販売する第２のステップと、を実行する。
【００７１】
前記第１のステップは、前記ネットワークを介して接続された任意の通信端末から被写体の登録申し込みがあったときは、当該被写体のデータを被写体データベースに登録し、撮影会の予告に被写体のデータを含める。
【００７２】
前記第１のステップは、前記通信端末から特定の被写体を条件とする撮影会への参加申し込みがあったときは、当該条件に適合した撮影会が前記撮影会データベースに登録されている場合には、当該撮影会の予告を当該通信端末に送信し、前記特定の被写体の撮影会が前記撮影会データベースに登録されていない場合には、類似した被写体の撮影会の予告を当該通信端末に送信する。
【００７３】
前記第１のステップは、撮影会が行われる撮影スタジオに入場した撮影装置に対して当該撮影会への参加申し込みに対して一意に設定した識別情報の送信を要求し、当該撮影装置から受信した識別情報が当該撮影会の参加申し込みに対して登録されている識別情報と一致した場合には、当該撮影装置に対して撮影許可の情報を送信し、当該撮影装置から受信した識別情報が当該撮影会への参加申し込みに対して登録されている識別情報と異なる場合、又は、当該撮影装置から識別情報を受信しない場合には、前記撮影許可の情報を送信しない。
【００７４】
前記第２のステップは、前記ネットワークを介して接続された任意の通信端末から撮影会で撮影された撮影データに対する購入申し込みに応じて当該撮影データを送信する場合には、当該端末装置のユーザーと取引がある金融機関の口座番号から購入の対価を受け取るための決済を行う。
【００７５】
また、上記実施形態においては、インターネット２を介して撮影会マネージャーサーバー３と接続した端末１から、アプリケーションプログラムをダウンロードする場合を例に採って、いわゆる物の発明について説明したが、プログラムの発明をも実現することは明らかである。すなわち、そのプログラムは、
ネットワークを介して撮影会への参加申し込みを受け付ける撮影支援システムによって指定された撮影スタジオにおいて使用する撮影装置の制御プログラムであって、
無線信号によって情報を送受信する第１のステップと、前記撮影スタジオにおいて、前記第１のステップが撮影許可の情報を受信した場合に被写体の撮影を可能にし、前記第１のステップが前記撮影許可の情報を受信しない場合には被写体の撮影を禁止する第２のステップと、を実行する。
【００７６】
第１のステップは、前記ネットワークを介して取得した識別情報を記憶している記憶手段から当該識別情報を送信した場合に、前記撮影許可の情報を受信する。
【図面の簡単な説明】
【００７７】
【図１】本発明の実施形態における撮影支援システムの構成を示す図。
【図２】図１のカメラ端末の内部構成を示すブロック図。
【図３】（Ａ）は図１の撮影者データベースのデータ構成、（Ｂ）は図１の被写体データベースのデータ構成、（Ｃ）は図１の撮影会データベースのデータ構成を示す図。
【図４】図１の端末の動作を示すメインルーチンのフローチャート。
【図５】図４に続く端末の動作を示すフローチャート。
【図６】図５に続く端末の動作を示すフローチャート。
【図７】図４に続く端末の動作を示すフローチャート。
【図８】図７に続く端末の動作を示すフローチャート。
【図９】図４に続く端末の動作を示すフローチャート。
【図１０】図９に続く端末の動作を示すフローチャート。
【図１１】図１０に続く端末の動作を示すフローチャート。
【図１２】図１の端末に表示された初期画面の図。
【図１３】図１の端末に表示された開始画面の図。
【図１４】図１の端末に表示された参加同意画面の図。
【図１５】図１の端末に表示された参加登録画面の図。
【図１６】図１の端末に表示された撮影会予告画面の図。
【図１７】図１の端末に表示された確定待機画面の図。
【図１８】図１の端末に表示された被写体同意画面の図。
【図１９】図１の端末に表示された被写体登録画面の図。
【図２０】図１の端末に表示された被写体了解画面の図。
【図２１】図１の端末に表示された被写体確定画面の図。
【図２２】図１の端末に表示された閲覧選択画面の図。
【図２３】図１の端末に表示されたライブ閲覧画面の図。
【図２４】図１の端末に表示された検索結果画面の図。
【図２５】図１の端末に表示された撮影データの表示画面の図。
【図２６】図１の撮影会マネージャーサーバーにおける開始画面送付のフローチャート。
【図２７】図１の撮影会マネージャーサーバーにおける参加同意画面送付のフローチャート。
【図２８】図１の撮影会マネージャーサーバー登における録画面送付のフローチャート。
【図２９】図１の撮影会マネージャーサーバーにおける撮影者登録データの受信処理のフローチャート。
【図３０】図１の撮影会マネージャーサーバーにおける了解信号受信処理のフローチャート。
【図３１】図１の撮影会マネージャーサーバーにおける被写体登録の受信処理のフローチャート。
【図３２】図１の撮影会マネージャーサーバーにおける被写体登録同意の受信処理のフローチャート。
【図３３】図１の撮影会マネージャーサーバーにおける被写体登録データの受信処理のフローチャート。
【図３４】図１の撮影会マネージャーサーバーにおける被写体了解の受信処理のフローチャート。
【図３５】図１の撮影会マネージャーサーバーにおけるカメラ端末の入場検出処理のフローチャート。
【図３６】図１の撮影会マネージャーサーバーにおけるカメラ端末の退場検出処理のフローチャート。
【図３７】図１の撮影会マネージャーサーバーにおけるＩＤおよびパスワードの受信処理のフローチャート。
【図３８】図１の撮影会マネージャーサーバーにおける撮影データの受信処理のフローチャート。
【図３９】図１の撮影データのデータベースのデータ構成を示す図。
【図４０】図１のショップマネージャーサーバーにおける閲覧要求の受信処理のフローチャート。
【図４１】図１のショップマネージャーサーバーにおけるライブ閲覧要求の受信処理のフローチャート。
【図４２】図１のショップマネージャーサーバーにおける撮影データの受信処理のフローチャート。
【図４３】図１のショップマネージャーサーバーにおけるダウンロード要求の受信処理のフローチャート。
【図４４】図１のショップマネージャーサーバーにおける決済画面要求の受信処理のフローチャート。
【図４５】図１のショップマネージャーサーバーにおける決済データの受信処理のフローチャート。
【図４６】図１のショップマネージャーサーバーにおける検索データの受信処理のフローチャート。
【図４７】図１のショップマネージャーサーバーにおける撮影データ要求の受信処理のフローチャート。
【図４８】図１のカメラ端末の動作を示すフローチャート。
【図４９】図４８に続くカメラ端末の動作を示すフローチャート。
【図５０】実施形態の変形例における図１のカメラ端末の動作を示す一部のフローチャート。
【符号の説明】
【００７８】
１  端末
２  インターネット
３  撮影会マネージャーサーバー
４  ショップマネージャーサーバー
５  撮影者データベース
６  被写体データベース
７  撮影会データベース
８  撮影データのデータベース
９  撮影スタジオ
１０  カメラ端末
１１  制御部
１２  プログラムＲＯＭ
１３  ワークＲＡＭ
１４  表示部
１５  送受信部
１６  ＣＣＤ
１７  カメラ操作部
１８  画像処理部
１９  通信操作部
２０  メモリカード
【図１】
2006067264.tif 000003
【図２】
2006067264.tif 000004
【図３】
2006067264.tif 000005
【図４】
2006067264.tif 000006
【図５】
2006067264.tif 000007
【図６】
2006067264.tif 000008
【図７】
2006067264.tif 000009
【図８】
2006067264.tif 000010
【図９】
2006067264.tif 000011
【図１０】
2006067264.tif 000012
【図１１】
2006067264.tif 000013
【図１２】
2006067264.tif 000014
【図１３】
2006067264.tif 000015
【図１４】
2006067264.tif 000016
【図１５】
2006067264.tif 000017
【図１６】
2006067264.tif 000018
【図１７】
2006067264.tif 000019
【図１８】
2006067264.tif 000020
【図１９】
2006067264.tif 000021
【図２０】
2006067264.tif 000022
【図２１】
2006067264.tif 000023
【図２２】
2006067264.tif 000024
【図２３】
2006067264.tif 000025
【図２４】
2006067264.tif 000026
【図２５】
2006067264.tif 000027
【図２６】
2006067264.tif 000028
【図２７】
2006067264.tif 000029
【図２８】
2006067264.tif 000030
【図２９】
2006067264.tif 000031
【図３０】
2006067264.tif 000032
【図３１】
2006067264.tif 000033
【図３２】
2006067264.tif 000034
【図３３】
2006067264.tif 000035
【図３４】
2006067264.tif 000036
【図３５】
2006067264.tif 000037
【図３６】
2006067264.tif 000038
【図３７】
2006067264.tif 000039
【図３８】
2006067264.tif 000040
【図３９】
2006067264.tif 000041
【図４０】
2006067264.tif 000042
【図４１】
2006067264.tif 000043
【図４２】
2006067264.tif 000044
【図４３】
2006067264.tif 000045
【図４４】
2006067264.tif 000046
【図４５】
2006067264.tif 000047
【図４６】
2006067264.tif 000048
【図４７】
2006067264.tif 000049
【図４８】
2006067264.tif 000050
【図４９】
2006067264.tif 000051
【図５０】
2006067264.tif 000052